【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
第１のワイヤレストランシーバデバイスにおいて、
第２のワイヤレストランシーバデバイスに精密タイミング測定要求メッセージを送信することと、前記精密タイミング測定要求メッセージが、前記精密タイミング測定要求メッセージに応答した前記第２のワイヤレストランシーバデバイスからの送信のために要求される複数の精密タイミング測定メッセージの少なくとも１つの物理的信号特性を指定する少なくとも１つのフィールドを備える、
前記第２のトランシーバデバイスから、前記少なくとも１つのフィールドに少なくとも部分的に基づいて送信される前記複数の精密タイミング測定メッセージを受信することと、
ここにおいて、前記少なくとも１つのフィールドのうちのフィールドが、前記複数の精密タイミング測定メッセージの送信中に実装されるべき精密タイミング測定メッセージチャネル分離を指定する、
を備える方法。
【請求項２】
前記少なくとも１つのフィールドが、符号化バイトとして前記精密タイミング測定チャネル分離を指定する、請求項１に記載の方法。
【請求項３】
前記少なくとも１つのフィールドのうちのフィールドが、前記精密タイミング測定要求メッセージに応答した前記第２のワイヤレストランシーバデバイスからのメッセージの送信のための周波数チャネルを指定する、前記メッセージの送信のための前記周波数チャネルが、前記精密タイミング測定要求メッセージの送信のための周波数チャネルとは異なる、請求項１に記載の方法。
【請求項４】
前記少なくとも１つのフィールドが、前記複数の精密タイミング測定メッセージの前記送信中に実装されるべき符号化タイプをさらに指定する、請求項１に記載の方法。
【請求項５】
前記符号化タイプが、ＨＴ符号化、非ＨＴ符号化またはＶＨＴ符号化として指定される、請求項４に記載の方法。
【請求項６】
前記第１のワイヤレストランシーバデバイスにおいて、
前記第２のワイヤレストランシーバデバイスから後続の精密タイミング測定メッセージを送信する際に、使用されるべきアンテナの識別子を指定する少なくとも１つのフィールドを備える、または適用されるべきアンテナ利得を指定する少なくとも１つのフィールドを備える、または使用されるべき送信電力を指定する少なくとも１つのフィールドを備える、前記精密タイミング測定要求メッセージに応答して前記第２のワイヤレストランシーバによって送信される精密タイミング測定要求メッセージ肯定応答メッセージを受信すること
をさらに備える、請求項１に記載の方法。
【請求項７】
第１のワイヤレストランシーバデバイスであって、
第２のワイヤレストランシーバデバイスに精密タイミング測定要求メッセージを送信するための手段と、前記精密タイミング測定要求メッセージが、前記精密タイミング測定要求メッセージに応答した前記第２のワイヤレストランシーバデバイスからの送信のために要求される複数の精密タイミング測定メッセージの少なくとも１つの物理的信号特性を指定する少なくとも１つのフィールドを備える、
前記第２のトランシーバデバイスから、前記少なくとも１つのフィールドに少なくとも部分的に基づいて送信される前記複数の精密タイミング測定メッセージを受信するための手段と、
ここにおいて、前記少なくとも１つのフィールドのうちのフィールドが、前記複数の精密タイミング測定メッセージの送信中に実装されるべき精密タイミング測定メッセージチャネル分離を指定する、
を備える第１のワイヤレストランシーバデバイス。
【請求項８】
第１のワイヤレストランシーバデバイスにおいて、
第２のワイヤレストランシーバデバイスから精密タイミング測定要求メッセージを受信することと、前記精密タイミング測定要求メッセージが、前記精密タイミング測定要求メッセージに応答した前記第２のワイヤレストランシーバデバイスからの送信のために要求される複数の精密タイミング測定メッセージの少なくとも１つの物理的信号特性を指定する少なくとも１つのフィールドを備える、
前記精密タイミング測定要求メッセージの受信に応答して、前記少なくとも１つのフィールドに少なくとも部分的に基づいて前記第２のワイヤレストランシーバデバイスに前記複数の精密タイミング測定メッセージを送信することと、
ここにおいて、前記少なくとも１つのフィールドのうちのフィールドが、前記複数の精密タイミング測定メッセージの送信中に実装されるべき精密タイミング測定メッセージチャネル分離を指定する、
を備える方法。
【請求項９】
１つまたは複数のバーストを前記送信することが、前記フィールド中に指定されている前記チャネル分離に従って前記複数の精密タイミング測定メッセージを送信することをさらに備える、請求項８に記載の方法。
【請求項１０】
１つまたは複数のバーストを送信することが、前記少なくとも１つのフィールドのうちのフィールド中に指定されている周波数チャネル中で前記複数の精密タイミング測定メッセージを送信することをさらに備える、前記メッセージの送信のための前記周波数チャネルが、前記精密タイミング測定要求メッセージの送信のための周波数チャネルとは異なる、請求項８に記載の方法。
【請求項１１】
１つまたは複数のバーストを送信することが、前記少なくとも１つのフィールドのうちのフィールド中に指定されている符号化タイプに従って前記複数のタイミング測定メッセージを符号化することをさらに備える、請求項８に記載の方法。
【請求項１２】
前記第１のワイヤレストランシーバデバイスにおいて、
前記第１のワイヤレストランシーバデバイスから後続の精密タイミング測定メッセージを送信する際に、適用されるべきアンテナ利得を指定する少なくとも１つのフィールドを備える、または使用されるべき送信電力を指定する少なくとも１つのフィールドを備える前記精密タイミング測定要求メッセージに応答して精密タイミング測定要求メッセージ肯定応答メッセージを送信すること
をさらに備える、請求項８に記載の方法。
【請求項１３】
請求項１乃至６および８乃至１２のうちのいずれか一項に記載のステップを実行するための機械可読命令を備える非一時的記憶媒体
を備える物品。
【請求項１４】
第１のワイヤレストランシーバデバイスであって、
第２のワイヤレストランシーバデバイスから精密タイミング測定要求メッセージを受信するための手段と、前記精密タイミング測定要求メッセージが、前記精密タイミング測定要求メッセージに応答した前記第２のワイヤレストランシーバデバイスからの送信のために要求される複数の精密タイミング測定メッセージの少なくとも１つの物理的信号特性を指定する少なくとも１つのフィールドを備える、
前記少なくとも１つのフィールドに少なくとも部分的に基づいて前記精密タイミング測定要求メッセージの受信に応答して前記第２のワイヤレストランシーバデバイスに前記複数の精密タイミング測定メッセージを送信するための手段と、
ここにおいて、前記少なくとも１つのフィールドのうちのフィールドが、前記複数の精密タイミング測定メッセージの送信中に実装されるべき精密タイミング測定メッセージチャネル分離を指定する、
を備える第１のワイヤレストランシーバデバイス。
【手続補正２】
【補正対象書類名】明細書
【補正対象項目名】０１２９
【補正方法】変更
【補正の内容】
【０１２９】
[000174]  現在例示的な特徴と考えられることについて例示し説明したが、請求する主題から逸脱することなく、様々な他の変更が行われ得、均等物が代用され得ることが、当業者には理解されよう。さらに、本明細書で説明された主要な概念から逸脱することなしに、特定の状況を特許請求の範囲に記載された対象の教示に適応させるために、多くの修正が行われ得る。したがって、特許請求の範囲に記載された対象は、開示された特定の例に限定されないが、そのような特許請求の範囲に記載された対象は、添付の特許請求の範囲に含まれるすべての態様、およびそれらの均等物も含み得ることが意図される。
以下に、本願の出願当初の特許請求の範囲に記載された発明を付記する。
［Ｃ１］
第１のワイヤレストランシーバデバイスにおいて、
第２のワイヤレストランシーバデバイスに精密タイミング測定要求メッセージを送信すること、前記精密タイミング測定要求メッセージが、前記精密タイミング測定要求メッセージに応答した前記第２のワイヤレストランシーバからの送信のために要求される１つまたは複数の精密タイミング測定メッセージの少なくとも１つの物理的信号特性を指定する少なくとも１つのフィールドを備える、
を備える方法。
［Ｃ２］
前記少なくとも１つのフィールドのうちのフィールドが、前記精密タイミング測定要求メッセージに応答して前記第２のワイヤレストランシーバデバイスによって送信されるべき少なくとも１つの精密タイミング測定メッセージの送信中に実装されるべき精密タイミング測定メッセージチャネル分離を指定する、Ｃ１に記載の方法。
［Ｃ３］
前記少なくとも１つのフィールドが、符号化バイトとして前記精密タイミング測定チャネル分離を指定する、Ｃ２に記載の方法。
［Ｃ４］
前記少なくとも１つのフィールドのうちのフィールドが、前記精密タイミング測定要求メッセージに応答した前記第２のワイヤレストランシーバデバイスからのメッセージの送信のための周波数チャネルを指定する、Ｃ１に記載の方法。
［Ｃ５］
前記少なくとも１つのフィールドが、少なくとも１つの前記精密タイミング測定メッセージの前記送信中に実装されるべき符号化タイプをさらに指定する、Ｃ１に記載の方法。
［Ｃ６］
前記符号化タイプが、ＨＴ符号化、非ＨＴ符号化またはＶＨＴ符号化として指定される、Ｃ５に記載の方法。
［Ｃ７］
前記第２のワイヤレストランシーバデバイスから後続の精密タイミング測定メッセージを送信する際に使用されるべき送信電力を指定する少なくとも１つのフィールドを備える前記精密タイミング測定要求メッセージに応答して精密タイミング測定要求メッセージ肯定応答メッセージを受信すること
をさらに備える、Ｃ１に記載の方法。
［Ｃ８］
前記第１のワイヤレストランシーバにおいて、
前記第２のワイヤレストランシーバデバイスから後続の精密タイミング測定メッセージを送信する際に適用されるべきアンテナ利得を指定する少なくとも１つのフィールドを備える前記精密タイミング測定要求メッセージに応答して前記第２のワイヤレストランシーバデバイスによって送信される精密タイミング測定要求メッセージ肯定応答メッセージを受信すること
をさらに備える、Ｃ１に記載の方法。
［Ｃ９］
前記第２のワイヤレストランシーバデバイスから後続の精密タイミング測定メッセージを送信する際に使用されるべきアンテナの識別子を指定する少なくとも１つのフィールドを備える前記精密タイミング測定要求メッセージの受信に応答して前記第２のワイヤレストランシーバデバイスによって送信される精密タイミング測定要求メッセージ肯定応答メッセージを受信すること
をさらに備える、Ｃ１に記載の方法。
［Ｃ１０］
第１のワイヤレストランシーバデバイスであって、
ワイヤレス通信ネットワークにメッセージを送信し、ワイヤレス通信ネットワークからメッセージを受信するためのトランシーバと、
第２のワイヤレストランシーバデバイスへの前記トランシーバを通した精密タイミング測定要求メッセージの送信を開始すること、前記精密タイミング測定要求メッセージが、前記精密タイミング測定要求メッセージに応答した前記第２のワイヤレストランシーバからの送信のために要求される１つまたは複数の精密タイミング測定メッセージの少なくとも１つの物理的信号特性を指定する少なくとも１つのフィールドを備える、を行うために命令を実行することが可能な１つまたは複数のプロセッサと
を備える第１のワイヤレストランシーバデバイス。
［Ｃ１１］
前記少なくとも１つのフィールドのうちのフィールドが、前記精密タイミング測定要求メッセージに応答して前記第２のワイヤレストランシーバデバイスによって送信されるべき少なくとも１つの精密タイミング測定メッセージの送信中に実装されるべき精密タイミング測定メッセージチャネル分離を指定する、Ｃ１０に記載の第１のワイヤレストランシーバデバイス。
［Ｃ１２］
前記少なくとも１つのフィールドのうちのフィールドが、前記精密タイミング測定要求メッセージに応答した前記第２のワイヤレストランシーバデバイスからのメッセージの送信のための周波数チャネルを指定する、Ｃ１０に記載の第１のワイヤレストランシーバデバイス。
［Ｃ１３］
前記少なくとも１つのフィールドが、少なくとも１つの前記精密タイミング測定メッセージの前記送信中に実装されるべき符号化タイプをさらに指定する、Ｃ１０に記載の第１のワイヤレストランシーバデバイス。
［Ｃ１４］
前記第２のワイヤレストランシーバデバイスから後続の精密タイミング測定メッセージを送信する際に使用されるべき送信電力を指定する少なくとも１つのフィールドを備える前記精密タイミング測定要求メッセージに応答して精密タイミング測定要求メッセージ肯定応答メッセージを受信すること
をさらに備える、Ｃ１０に記載の第１のワイヤレストランシーバデバイス。
［Ｃ１５］
前記方法が、前記第１のワイヤレストランシーバにおいて、
前記第２のワイヤレストランシーバデバイスから後続の精密タイミング測定メッセージを送信する際に適用されるべきアンテナ利得を指定する少なくとも１つのフィールドを備える前記精密タイミング測定要求メッセージに応答して前記第２のワイヤレストランシーバデバイスによって送信される精密タイミング測定要求メッセージ肯定応答メッセージを受信すること
をさらに備える、Ｃ１０に記載の第１のワイヤレストランシーバデバイス。
［Ｃ１６］
物品であって、
第２のワイヤレストランシーバデバイスへの精密タイミング測定要求メッセージの送信を開始すること、前記精密タイミング測定要求メッセージが、前記精密タイミング測定要求メッセージに応答した前記第２のワイヤレストランシーバからの送信のために要求される１つまたは複数の精密タイミング測定メッセージの少なくとも１つの物理的信号特性を指定する少なくとも１つのフィールドを備える、
を行うために第１のワイヤレストランシーバデバイスの専用コンピューティング装置によって実行可能である、記憶された機械可読命令を備える非一時的記憶媒体
を備える物品。
［Ｃ１７］
前記少なくとも１つのフィールドのうちのフィールドが、前記精密タイミング測定要求メッセージに応答して前記第２のワイヤレストランシーバデバイスによって送信されるべき少なくとも１つの精密タイミング測定メッセージの送信中に実装されるべき精密タイミング測定メッセージチャネル分離を指定する、Ｃ１６に記載の物品。
［Ｃ１８］
前記少なくとも１つのフィールドのうちのフィールドが、前記精密タイミング測定要求メッセージに応答した前記第２のワイヤレストランシーバデバイスからのメッセージの送信のための周波数チャネルを指定する、Ｃ１６に記載の物品。
［Ｃ１９］
前記少なくとも１つのフィールドが、少なくとも１つの精密タイミング測定メッセージの前記送信中に実装されるべき符号化タイプをさらに指定する、Ｃ１６に記載の物品。
［Ｃ２０］
前記命令が、
前記第２のワイヤレストランシーバデバイスから後続の精密タイミング測定メッセージを送信する際に使用されるべき送信電力を指定する少なくとも１つのフィールドを備える前記精密タイミング測定要求メッセージに応答して受信された精密タイミング測定要求メッセージ肯定応答メッセージを取得すること
を行うために前記専用コンピューティング装置によってさらに実行可能である、Ｃ１６に記載の物品。
［Ｃ２１］
前記命令が、
前記第２のワイヤレストランシーバデバイスから後続の精密タイミング測定メッセージを送信する際に適用されるべきアンテナ利得を指定する少なくとも１つのフィールドを備える前記精密タイミング測定要求メッセージに応答して前記第２のワイヤレストランシーバデバイスから受信された精密タイミング測定要求メッセージ肯定応答メッセージを取得すること
を行うために前記専用コンピューティング装置によってさらに実行可能である、Ｃ１６に記載の物品。
［Ｃ２２］
第１のワイヤレストランシーバデバイスであって、
第２のワイヤレストランシーバデバイスに精密タイミング測定要求メッセージを送信するための手段と、前記精密タイミング測定要求メッセージが、前記精密タイミング測定要求メッセージに応答した前記第２のワイヤレストランシーバからの送信のために要求される１つまたは複数の精密タイミング測定メッセージの少なくとも１つの物理的信号特性を指定する少なくとも１つのフィールドを備える、
前記第２のトランシーバデバイスから、前記少なくとも１つのフィールドに少なくとも部分的に基づいて送信される１つまたは複数の精密タイミング測定要求フレームを受信するための手段と
を備える第１のワイヤレストランシーバデバイス。
［Ｃ２３］
第１のワイヤレストランシーバデバイスにおいて、
第２のワイヤレストランシーバデバイスから精密タイミング測定要求メッセージを受信することと、前記精密タイミング測定要求メッセージが、前記精密タイミング測定要求メッセージに応答した前記第２のワイヤレストランシーバからの送信のために要求される１つまたは複数の精密タイミング測定メッセージの少なくとも１つの物理的信号特性を指定する少なくとも１つのフィールドを備える、
前記精密タイミング測定要求メッセージの受信に応答して、前記少なくとも１つのフィールドに少なくとも部分的に基づいて前記第２のワイヤレストランシーバデバイスに精密タイミング測定メッセージの１つまたは複数のバーストを送信することと
を備える方法。
［Ｃ２４］
１つまたは複数のバーストを送信することが、前記少なくとも１つのフィールドのうちのフィールド中に指定されている周波数チャネル分離に従って前記１つまたは複数の精密タイミング測定メッセージを送信することをさらに備える、Ｃ２３に記載の方法。
［Ｃ２５］
１つまたは複数のバーストを送信することが、前記少なくとも１つのフィールドのうちのフィールド中に指定されている周波数チャネル中で前記１つまたは複数の精密タイミング測定メッセージを送信することをさらに備える、Ｃ２３に記載の方法。
［Ｃ２６］
１つまたは複数のバーストを送信することが、前記少なくとも１つのフィールドのうちの符号化タイプ指定アフィールドに従って前記１つまたは複数の精密タイミング測定メッセージを符号化することをさらに備える、Ｃ２３に記載の方法。
［Ｃ２７］
前記第１のワイヤレストランシーバデバイスから後続の精密タイミング測定メッセージを送信する際に使用されるべき送信電力を指定する少なくとも１つのフィールドを備える前記精密タイミング測定要求メッセージに応答して精密タイミング測定要求メッセージ肯定応答メッセージを送信すること
をさらに備える、Ｃ２３に記載の方法。
［Ｃ２８］
前記第１のワイヤレストランシーバにおいて、
前記第１のワイヤレストランシーバデバイスから後続の精密タイミング測定メッセージを送信する際に適用されるべきアンテナ利得を指定する少なくとも１つのフィールドを備える前記精密タイミング測定要求メッセージに応答して前記第２のワイヤレストランシーバデバイスに精密タイミング測定要求メッセージ肯定応答メッセージを送信すること
をさらに備える、Ｃ２３に記載の方法。
［Ｃ２９］
第１のワイヤレストランシーバデバイスであって、
ワイヤレス通信ネットワークにメッセージを送信し、ワイヤレス通信ネットワークからメッセージを受信するためのトランシーバと、
第２のワイヤレストランシーバデバイスから前記トランシーバにおいて受信された精密タイミング測定要求メッセージを取得することと、前記精密タイミング測定要求メッセージが、前記精密タイミング測定要求メッセージに応答した前記第２のワイヤレストランシーバからの送信のために要求される１つまたは複数の精密タイミング測定メッセージの少なくとも１つの物理的信号特性を指定する少なくとも１つのフィールドを備える、
前記精密タイミング測定要求メッセージの受信に応答して、前記少なくとも１つのフィールドに少なくとも部分的に基づいて前記第２のワイヤレストランシーバデバイスに前記トランシーバを通して精密タイミング測定メッセージの１つまたは複数のバーストの送信を開始することと
を行うための１つまたは複数のプロセッサと
を備える、第１のワイヤレストランシーバデバイス。
［Ｃ３０］
前記１つまたは複数の精密タイミング測定メッセージが、前記少なくとも１つのフィールドのうちのフィールド中に指定されている周波数チャネル分離に従って送信される、Ｃ２９に記載の第１のワイヤレストランシーバデバイス。
［Ｃ３１］
前記１つまたは複数の精密タイミング測定メッセージが、前記少なくとも１つのフィールドのうちのフィールド中に指定されている周波数チャネル中で送信される、Ｃ２９に記載の第１のワイヤレストランシーバデバイス。
［Ｃ３２］
前記１つまたは複数の精密タイミング測定メッセージが、前記少なくとも１つのフィールドのうちの符号化タイプ指定アフィールドに従って送信される、Ｃ２９に記載の第１のワイヤレストランシーバデバイス。
［Ｃ３３］
前記１つまたは複数のプロセッサが、
前記第１のワイヤレストランシーバデバイスから後続の精密タイミング測定メッセージを送信する際に使用されるべき送信電力を指定する少なくとも１つのフィールドを備える前記精密タイミング測定要求メッセージに応答して前記トランシーバを通した精密タイミング測定要求メッセージ肯定応答メッセージの送信を開始すること
をさらに行う、Ｃ２９に記載の第１のワイヤレストランシーバデバイス。
［Ｃ３４］
前記１つまたは複数のプロセッサが、
前記第１のワイヤレストランシーバデバイスから後続の精密タイミング測定メッセージを送信する際に適用されるべきアンテナ利得を指定する少なくとも１つのフィールドを備える前記精密タイミング測定要求メッセージに応答して前記第２のワイヤレストランシーバデバイスへの前記トランシーバを通した精密タイミング測定要求メッセージ肯定応答メッセージの送信を開始すること
をさらに行う、Ｃ２９に記載の方法。
［Ｃ３５］
第２のワイヤレストランシーバデバイスから受信された精密タイミング測定要求メッセージを取得することと、前記精密タイミング測定要求メッセージが、前記精密タイミング測定要求メッセージに応答した第１のワイヤレストランシーバデバイスからの送信のために要求される１つまたは複数の精密タイミング測定メッセージの少なくとも１つの物理的信号特性を指定する少なくとも１つのフィールドを備える、
前記精密タイミング測定要求メッセージに応答して、前記少なくとも１つのフィールドに少なくとも部分的に基づいて前記第２のワイヤレストランシーバデバイスに精密タイミング測定メッセージの１つまたは複数のバーストの送信を開始することと
を行うために前記第１のワイヤレストランシーバデバイスの専用コンピューティング装置によって実行可能である、記憶された機械可読命令を備える非一時的記憶媒体
を備える物品。
［Ｃ３６］
第１のワイヤレストランシーバデバイスであって、
第２のワイヤレストランシーバデバイスから精密タイミング測定要求メッセージを受信するための手段と、前記精密タイミング測定要求メッセージが、前記精密タイミング測定要求メッセージに応答した前記第２のワイヤレストランシーバデバイスからの送信のために要求される１つまたは複数の精密タイミング測定メッセージの少なくとも１つの物理的信号特性を指定する少なくとも１つのフィールドを備える、
前記少なくとも１つのフィールドに少なくとも部分的に基づいて前記精密タイミング測定要求メッセージの受信に応答して前記第２のワイヤレストランシーバデバイスに精密タイミング測定メッセージの１つまたは複数のバーストを送信するための手段と
を備える第１のワイヤレストランシーバデバイス。